(57)【要約】      （修正有）【課題】天井埋込型空気調和機において、調和空気の吹出方向をワイド風向、直進風向、スポット風向のいずれかに切り替え可能とする天井埋込型空気調和機を提供する。【解決手段】天井内に埋設されるケーシング本体内に、仮想四角形の各辺に沿って空気吹出通路６４（６４Ａ〜６４Ｄ）が配置されており、各空気吹出通路６４は、仮想四角形の各辺に沿って平行に所定間隔をもって配置された一対の長辺壁６４１、６４２と、長辺壁の端部同士を連結する一対の短辺壁６４３、６４４とを有する細長の直方体状に形成されており、各空気吹出通路６４内の各短辺壁６４３、６４４側に、空気吹出通路６４内を通る調和空気の吹出方向を変更する第１および第２の気流ガイドベーン７ａ、７ｂを設ける。【選択図】図１０ａ
2018017421.tif 000002
【特許請求の範囲】
【請求項１】
天井内に埋設されるケーシング本体と、上記ケーシング本体の下面に取り付けられる化粧パネルとを有し、上記ケーシング本体内には、ターボファンと、上記ターボファンの外周を囲むように配置される熱交換器と、上記熱交換器の下端に沿って配置されるドレンパンとを含み、上記ドレンパンには、上記ターボファンに至る空気吸込通路が中央部分に配置されているとともに、上記熱交換器を通った調和空気の空気吹出通路が上記空気吸込通路を囲む仮想四角形の各辺に沿って４箇所に設けられており、上記化粧パネルには、上記空気吸込通路に連通する空気吸込口と、上記空気吹出通路に連通する空気吹出口とが設けられている天井埋込型空気調和機において、
上記各空気吹出通路は、上記仮想四角形の各辺に沿って平行に所定間隔をもって配置された一対の長辺壁と、上記長辺壁の端部同士を連結する一対の短辺壁とを有する細長の直方体状に形成されており、上記各空気吹出通路内の一方の上記短辺壁側に上記空気吹出通路内を通る上記調和空気の吹出方向を変更する第１気流ガイドベーンが回動可能に設けられ、上記各空気吹出通路内の他方の上記短辺壁側に上記空気吹出通路内を通る上記調和空気の吹出方向を変更する第２気流ガイドベーンが回動可能に設けられていることを特徴とする天井埋込型空気調和機。
【請求項２】
上記各気流ガイドベーンには、モータによって駆動され上記長辺壁と直交する回転軸を中心として回動する板状の複数枚のガイドフィンが含まれていることを特徴とする請求項１に記載の天井埋込型空気調和機。
【請求項３】
上記複数枚のガイドフィンは、リンクアームを介して連動するように連結されていることを特徴とする請求項２に記載の天井埋込型空気調和機。
【請求項４】
上記第１気流ガイドベーンと上記第２気流ガイドベーンの風下側端部の角度および／または方向が個別に調節可能であることを特徴とする請求項１ないし３のいずれか１項に記載の天井埋込型空気調和機。
【請求項５】
ワイド風向、直進風向、スポット風向のいずれかが選択可能であり、上記ワイド風向時には、上記第１気流ガイドベーンの風下側端部と上記第２気流ガイドベーンの風下側端部が互いに離れる方向に回動し、上記直進風向時には、上記第１気流ガイドベーンと上記第２気流ガイドベーンとがともに上記空気吹出通路の上記長辺壁に沿う長軸と直交する垂直方向に回動し、上記スポット風向時には、上記第１気流ガイドベーンの風下側端部と上記第２気流ガイドベーンの風下側端部がともにいずれか一方の上記短辺壁側に向けて回動することを特徴とする請求項１ないし４のいずれか１項に記載の天井埋込型空気調和機。
【請求項６】
上記化粧パネルのコーナー部には、隣接する上記空気吹出口の隣接する端部の間にかけて導風通路が形成されており、上記第１気流ガイドベーンおよび第２気流ガイドベーンにより隣接する上記空気吹出通路の各々から上記調和空気の吹出空気流の一部が上記導風通路に向けて吹き出されることを特徴とする請求項１ないし４のいずれか１項に記載の天井埋込型空気調和機。
【発明の詳細な説明】
【技術分野】
【０００１】
本発明は、室内の天井に設置される天井埋込型空気調和機に関し、さらに詳しく言えば、熱交換された調和空気の吹出方向を制御する技術に関するものである。
【背景技術】
【０００２】
天井埋込型空気調和機は、箱形のケーシング本体が天井スラブと天井パネルとの間に形成された空間に埋設される。ケーシング本体の底面（室内に向く面）には、四角形状の化粧パネルが取り付けられ、通常はその中央に空気吸込口、その周りに空気吹出口が設けられている。
【０００３】
ケーシング本体の内部には、ターボファンがその中央部分に設けられ、ターボファンを囲むように熱交換器が配置されており、また、熱交換器の下部に沿って露受け皿としてのドレンパンが配置されている（例えば特許文献１参照）。
【０００４】
通常の天井埋込型空気調和機では、空気吹出口が化粧パネルの四辺に沿った４箇所に配置されており、熱交換器を通った調和空気は、主として化粧パネルの各辺から４方向に向けて吹き出され、四隅部（コーナー部）は気流が流れないため、室温に温度ムラが生じやすい。
【０００５】
そこで、特許文献１に記載の天井埋込型空気調和機では、筐体内のドレンパンの全周囲にわたって空気吹出通路を設けるとともに、化粧パネルに、その四辺に沿って配置された空気吹出口のほかに、化粧パネルのコーナー部にも各空気吹出口の隣接する端部間を繋ぐ補助吹出口を設けて、空気吹出口を八角形の環状とし、その各々に風向板を配置することにより、ワイド風向として化粧パネルの四辺および四隅部からほぼ全方向に調和空気を吹き出すようにしている。
【先行技術文献】
【特許文献】
【０００６】
【特許文献１】特許第４０５２２６４号公報
【発明の概要】
【発明が解決しようとする課題】
【０００７】
しかしながら、上記特許文献１の従来技術によると、空気吹出口を八角形の環状としたうえで、その各々に風向板を配置しているため、必然的に構造が複雑となり、部品点数や組み立て工数が増加し、コスト的に好ましくない、という問題がある。
【０００８】
そこで、本出願人は、より少ない部品・工数で全方向にわたって調和空気を効率的に吹き出すことができるようにした天井埋込型空気調和機を特願２０１５−０７０９３６号（先願発明という）として提案している。
【０００９】
すなわち、この先願発明では、一対の長辺壁と一対の短辺壁とを含む細長い直方体状に形成された空気吹出通路内に、調和空気の吹出空気流の一部を化粧パネルの空気吹出口の短辺側に向かわせる気流ガイドベーンを設けることにより、複雑な構造を用いることなく調和空気の全方向への吹き出しを可能としている。
【００１０】
先願発明によれば、上記したように、ワイド風向として調和空気をほぼ全方向に吹き出すことができるが、気流ガイドベーンが空気吹出口の短辺側に向く角度に固定されているため、空気吹出口から直進する方向に調和空気を強く吹き出すこと（以降、直進風向と記載）ができない。
【００１１】
したがって、暖房運転時は温風の床面への到達性が落ちる、冷房運転時は天井埋込型空気調和機から離れた箇所への冷風の到達性が落ちる、といった問題が発生する恐れがある。また、特許文献１に記載の天井埋込型空気調和機は、複数の空気吹出口から吹き出される調和空気を空調空間の特定場所に向けること（以降、スポット風向と記載）ができない。
【００１２】
したがって、空調空間の特定の場所（例えば、複数のユーザーが偏って存在する箇所）に空調空気を到達させるあるいは到達させないといったことができない。以上のような問題が発生すると、ユーザーが求める快適性を満足できないという問題があった。
【００１３】
そこで、本発明の課題は、調和空気の吹出方法をワイド風向、直進風向、スポット風向のいずれかに切り替えることで、ユーザーが求める快適性を満足できる天井埋込型空気調和機を提供することにある。
【課題を解決するための手段】
【００１４】
上述した課題を解決するため、本発明は、天井内に埋設されるケーシング本体と、上記ケーシング本体の下面に取り付けられる化粧パネルとを有し、上記ケーシング本体内には、ターボファンと、上記ターボファンの外周を囲むように配置される熱交換器と、上記熱交換器の下端に沿って配置されるドレンパンとを含み、上記ドレンパンには、上記ターボファンに至る空気吸込通路が中央部分に配置されているとともに、上記熱交換器を通った調和空気の空気吹出通路が上記空気吸込通路を囲む仮想四角形の各辺に沿って４箇所に設けられており、上記化粧パネルには、上記空気吸込通路に連通する空気吸込口と、上記空気吹出通路に連通する空気吹出口とが設けられている天井埋込型空気調和機において、
上記各空気吹出通路は、上記仮想四角形の各辺に沿って平行に所定間隔をもって配置された一対の長辺壁と、上記長辺壁の端部同士を連結する一対の短辺壁とを有する細長の直方体状に形成されており、上記各空気吹出通路内の一方の上記短辺壁側に上記空気吹出通路内を通る上記調和空気の吹出方向を変更する第１気流ガイドベーンが回動可能に設けられ、上記各空気吹出通路内の他方の上記短辺壁側に上記空気吹出通路内を通る上記調和空気の吹出方向を変更する第２気流ガイドベーンが回動可能に設けられていることを特徴としている。
【００１５】
本発明の好ましい態様によると、上記各気流ガイドベーンには、モータによって駆動され上記長辺壁と直交する回転軸を中心として回動する板状の複数枚のガイドフィンが含まれている。
【００１６】
より好ましくは、上記複数枚のガイドフィンは、リンクアームを介して連動するように連結されている。
【００１７】
本発明において、上記第１気流ガイドベーンと上記第２気流ガイドベーンの風下側端部の角度および／または方向が個別に調節可能である。
【００１８】
すなわち、ワイド風向、直進風向、スポット風向のいずれかが選択可能であり、上記ワイド風向時には、上記第１気流ガイドベーンの風下側端部と上記第２気流ガイドベーンの風下側端部が互いに離れる方向に回動し、上記直進風向時には、上記第１気流ガイドベーンと上記第２気流ガイドベーンとがともに上記空気吹出通路の上記長辺壁に沿う長軸と直交する方向に回動し、上記スポット風向時には、上記第１気流ガイドベーンの風下側端部と上記第２気流ガイドベーンの風下側端部がともにいずれか一方の上記短辺壁側に向けて回動する。
【００１９】
また、本発明には、好ましい態様として、化粧パネルのコーナー部には、隣接する空気吹出口の隣接する端部の間にかけて導風通路が形成されており、第１気流ガイドベーンおよび第２気流ガイドベーンにより隣接する空気吹出通路の各々から調和空気の吹出空気流の一部が導風通路に向けて吹き出される態様も含まれる。
【発明の効果】
【００２０】
本発明によれば、気流ガイドベーンを適宜回動させることにより、調和空気の吹出方向をワイド風向、直進風向、スポット風向とすることができるので、ユーザーが求める快適性を満足できる。
【図面の簡単な説明】
【００２１】
【図１】本発明の一実施形態に係る天井埋込型空気調和機を示す外観斜視図。
【図２】上記天井埋込型空気調和機の内部構造を示す模式的な断面図。
【図３】化粧パネルの底面側から見た状態の分解斜視図。
【図４】風向板の（ａ）正面図、（ｂ）平面図、（ｃ）底面図、（ｄ）左側面図および（ｅ）中央縦断面図。
【図５】上記天井埋込型空気調和機の運転時における風向板が開いた状態を示す正面図。
【図６】図５の角部を拡大した斜視図。
【図７】化粧パネルを取り外し、本体ケーシングを底面側から見た状態を示す正面図。
【図８】空気吹出通路を本体ケーシングを底面側から見た斜視図。
【図９】気流ガイドベーンを示す模式的な斜視図。
【図１０ａ】ワイド吹出時の風向きを示す模式図。
【図１０ｂ】ワイド吹出時における気流ガイドベーンの回動位置を示す模式図。
【図１１ａ】直進吹出時の風向きを示す模式図。
【図１１ｂ】直進吹出時における気流ガイドベーンの回動位置を示す模式図。
【図１２ａ】スポット吹出時の風向きを示す模式図。
【図１２ｂ】スポット吹出時における気流ガイドベーンの回動位置を示す模式図。
【図１２ｃ】別の態様によるスポット吹出時の風向きを示す模式図。
【発明を実施するための形態】
【００２２】
次に、本発明の実施形態について図面を参照しながら説明するが、本発明はこれに限定されない。
【００２３】
まず、図１および図２を参照して、本実施形態に係る天井埋込型空気調和機１は、天井スラブと天井パネルＴとの間に形成された空間に収納される直方体形状のケーシング本体２と、ケーシング本体２の底面Ｂに取り付けられる化粧パネル３とを備えている。
【００２４】
ケーシング本体２は、四角形状の天板２１と、その各辺から下方に延在する４枚の側板２２ａ〜２２ｄとを有し、室内に面する側の底面Ｂが開放された箱形容器からなる。ケーシング本体２の内周面には、発泡スチロール等からなる断熱材２３が設けられている。
【００２５】
ケーシング本体２の各角部には、吊下金具４が合計４箇所に設けられており、天井から吊り下げられた図示しない吊下ボルトに吊下金具４を係止することで、天井埋込型空気調和機１が天井に吊下固定される。
【００２６】
ケーシング本体２の内部のほぼ中央には、送風機としてのターボファン２４が配置されており、ターボファン２４の外周には、ターボファン２４を囲むように熱交換器２５が四角枠状に配置される。
【００２７】
図７を併せて参照して、ケーシング本体２は、４箇所の角部のうち１箇所の角部（この例では側板２２ａと側板２２ｄの各端部間の角部）が外側から内側に向かって一段凹むように凹部が形成されており、その凹部に熱交換器２５の冷媒配管２５ａ、２５ｂの配管引出部Ｐが設けられている。
【００２８】
熱交換器２５の下端には、冷房運転時に熱交換器２５で生成される結露水を受け止めるドレンパン６が熱交換器２５に沿って設けられている。本実施形態において、ドレンパン６は、発泡スチロール樹脂製であり、露受け部６６を有するドレンパン本体６１と、熱交換器２５を通過した調和空気を化粧パネル３の空気吹出口３２に案内する空気吹出通路６４とを備えている。ドレンパン本体６１の熱交換器２５側には、樹脂製のドレンシート６２が配置されている。
【００２９】
ドレンパン６は平面視で四角枠状に形成されており、その四角枠内が化粧パネル３の空気吸込口３１に連通する空気吸込通路６３となっている。空気吸込通路６３内には、空気吸込口３１から吸い込まれた空気をターボファン２４の吸込側へ案内するベルマウス２７が設けられている。
【００３０】
図７に示すように、ベルマウス２７の空気吸込口３１側には、電装品箱２８が設けられている。本実施形態において、電装品箱２８はＬ字状に形成され、配管引出部Ｐに近い角部側に配置されている。
【００３１】
空気吹出通路６４は、ケーシング本体２内で化粧パネル３の空気吹出口３２に対応して４箇所に設けられている。すなわち、空気吹出通路６４には、側板２２ａに沿って配置される第１空気吹出通路６４Ａ、側板２２ｂに沿って配置される第２空気吹出通路６４Ｂ、側板２２ｃに沿って配置される第３空気吹出通路６４Ｃ、側板２２ｄに沿って配置される第４空気吹出通路６４Ｄが含まれるが、これら空気吹出通路６４Ａ〜６４Ｄを区別する必要がない場合には、総称として空気吹出通路６４という。
【００３２】
図７、図８を参照して、空気吹出通路６４（６４Ａ〜６４Ｄ）は、ケーシング本体２の各側板２２ａ〜２２ｄに沿って平行で、かつ、所定の間隔もって対向配置された一対の長辺壁６４１、６４２と、長辺壁６４１、６４２の端部間に形成された一対の短辺壁６４３、６４４とによって囲まれる細長い直方体状の長孔であって、ケーシング本体２の上下方向（図７では紙面に対して垂直方向）に貫通している。
【００３３】
空気吹出通路６４の流出側の開口部が、化粧パネル３の各空気吹出口３２に連通している。ドレンパン６は発泡スチロール樹脂製であるため、空気吹出通路６４の中央部分で長辺壁６４１、６４２の間には補強用の支柱６５が架け渡されている。なお、空気吹出通路６４は細長い長孔であることから、長辺壁６４１、６４２に沿った軸を長軸Ｘ、これと直交する軸を短軸Ｙとする。
【００３４】
再び図１〜図３を参照して、化粧パネル３は、四角形状の扁平な枠体であって、ケーシング本体２の底面にネジ止めされている。
【００３５】
化粧パネル３は、中央に四角形状に開口された空気吸込口３１を有し、その空気吸込口３１の四辺に沿って長方形状の空気吹出口３２が４箇所に配置されている。空気吸込口３１には、吸込グリル５が着脱自在に設けられている。
【００３６】
吸込グリル５は、多数の吸込孔５１を有する合成樹脂の成形品からなり、その背面には除塵フィルタ５２が保持されている。本実施形態において、吸込グリル５は、発泡スチロール製の断熱部材３８が取り付けられた吸込グリル枠３７を介して化粧パネル３に取り付けられている。
【００３７】
空気吹出口３２は、化粧パネル３を上下方向に貫通しており、長方形状に開口されている。各空気吹出口３２は、空気吸込口３１の四辺を囲むように仮想四角形Ｑ（図５に示す２点鎖線）の各辺に沿って４箇所に配置されている。
【００３８】
各空気吹出口３２の端部同士が互いに向き合うコーナー部３６（３６ａ〜３６ｄ）には、隣接する空気吹出口３２から吹き出された空気を、化粧パネル３のコーナー部３６へと導く導風通路３４が設けられている。導風通路３４の各々にはコーナーカバー３６０が取り付けられる。
【００３９】
導風通路３４は、化粧パネル３の表面（底面）から内側に向かって一段凹まされた凹溝であり、図３、図６に示すように、隣接する空気吹出口のうちの一方の空気吹出口３２の長手方向の軸線と、他方の空気吹出通路３２の長手方向の軸線とが交差するＬ字状に形成されている。
【００４０】
各空気吹出口３２には、風向板３３が回動可能に配置されている。図４（ａ）〜（ｅ）に示すように、各風向板３３は、空気吹出口３２の形状に合わせて直線状に形成された直線部３３１と、直線部３３１の両端に一体的に形成され、導風通路３４を覆う傾斜部３３２、３３２とを備えている。
【００４１】
直線部３３１は、表面側（図４（ｅ）では上面側）が緩やかに湾曲した凸曲面であり、裏面側（図４（ｅ）では下面）が、表面に合わせて緩やかに湾曲した凹曲面となるように形成されている。
【００４２】
傾斜部３３２は、直線部３３１と同じく、表面側が凸曲面で、裏面側が凹曲面の湾曲面であって、裏面側の凹曲面は、傾斜部３３２の先端３３２ａに向かって空気が案内されるようになっている。
【００４３】
風向板３３の裏面には、風向板３３を回動するための回転軸３３３が設けられている。本実施形態において、回転軸３３３は、直線部３３１の左右両端および中央の３箇所に設けられており、風向板３３を上下方向に回動させるために同一軸線上に設けられている。
【００４４】
３箇所の回転軸３３３のうち２箇所は、化粧パネル３に設けられた図示しない軸受部に係止される。残る１つの回転軸３３３（この例では回転軸３３３Ｍ）は、後述するステッピングモータ３５の回転駆動軸に接続される。
【００４５】
各導風通路３４には、各風向板３３を回動するステッピングモータ３５が設けられている。本実施形態において、ステッピングモータ３５は、１枚の風向板３３に対応して１箇所（合計４箇所）に設けられており、本実施形態では、空気吹出口３３の一方の短辺側（空気吹出通路６４の短側壁６４ｃ側）に隣接して設けられている。
【００４６】
これによれば、運転停止時において、各風向板３３は上向き方向に回動し、図１に示すように、空気吹出口３２を閉じる。その際、隣接する風向板３３の傾斜部３３２同士が互いに突き合わせられることにより、各導風通路３４も一緒に隠される。
【００４７】
また、運転時においては、図５に示すように、各風向板３３が運転状況に応じて下向きに回動し、空気吹出口３２が化粧パネル３の底面に現れる。各空気吹出口３２から吹き出された空気の多くは、風向板３３の直線部３３１の表面に沿って案内され、所定の吹出角度で矢印ＭＦで示すように四辺から室内に向けて吹き出される。
【００４８】
また、空気吹出口３２の両側の導風通路３４から吹き出された空気は、傾斜部３３２の内周面に沿って先端部３３２ａに案内され、矢印ＳＦで示すように化粧パネル３の四隅のコーナー部３６（３６ａ〜３６ｄ）から室内に向けて吹き出される。
【００４９】
このようにして、図５に示すように、化粧パネル３の各辺からの四方向に加え、４箇所のコーナー部３６を含めた全方向（全８方向）に向かって調和空気を吹き出すことが可能であるが、本発明では、空気吹出通路６４（６４Ａ〜６４Ｄ）内に気流ガイドベーン７を設けて、ユーザーの要望に応じた気流（風向）が得られるようにしている。
【００５０】
図９に示すように、気流ガイドベーン７は、複数枚のガイドフィン７１、本実施形態では３枚のガイドフィン７１ａ、７１ｂ、７１ｃを備えている。これらガイドフィン７１ａ、７１ｂ、７１ｃを区別する必要がない場合には、単にガイドフィン７１という。
【００５１】
本実施形態において、各ガイドフィン７１は、ほぼ四角形状の板状として形成されており、そのうちの長辺壁６４１および長辺壁６４２にそれぞれ臨む側辺には、長辺壁６４１、６４２側に設けられている図示しない軸受け孔に嵌合する回転軸７２、７２が取り付けられており、各ガイドフィン７１は、回転軸７２、７２を支点として空気吹出通路６４内で長軸Ｘ方向に沿って左右（図８に示すＸ方向）に回動可能である。
【００５２】
ガイドフィン７１ａ、７１ｂ、７１ｃは、リンクアーム７４を介して互いに平行かつ等間隔として連結される。リンクアーム７４にはラック歯７４ａが形成されている。ガイドフィン７１ａ、７１ｂ、７１ｃには平板（平らな板）が用いられているが、例えば回動する先端側（風下側）を右側もしくは左側に湾曲させてもよい。
【００５３】
本実施形態によると、気流ガイドベーン７の駆動手段として、ピニオン歯車７５ａを有するステッピングモータ７５が用いられている。ステッピングモータ７５は、ピニオン歯車７５ａがラック歯７４ａと噛合するように、化粧パネル３の各コーナー部３６内に収納される。
【００５４】
このステッピングモータ７５の駆動により、ガイドフィン７１ａ、７１ｂ、７１ｃは同時に左右方向に回動する。なお、ピニオン−ラック機構に代えて、クランク機構等の回転−直線運動変換機構が用いられてもよい。
【００５５】
この天井埋込型空気調和機１は、ユーザーの操作によってリモコンから発せられる指示信号に基づいて種々の制御を行う制御部（ともに図示しない）を有し、制御部は、リモコンからの運転指示信号にしたがって風向板３３を駆動するステッピングモータ３５や気流ガイドベーン７を駆動するステッピングモータ７５等を制御する。
【００５６】
図７および図８に示すように、本実施形態の天井埋込型空気調和機１における気流ガイドベーン７は、一つの空気吹出口６４につき、一方の短辺壁６４３寄りと他方の短辺壁６４４寄りの２箇所に配置されており、一方の短辺壁６４３寄りの気流ガイドベーンを第１気流ガイドベーン７ａ、他方の短辺壁６４４寄りの気流ガイドベーンを第２気流ガイドベーン７ｂとする。
【００５７】
また、本実施形態に係る天井埋込型空気調和機１は、風向の選択項目として、「ワイド風向」、「直進風向」、「コーナー部からのスポット風向」の３項目を備えている。
【００５８】
ユーザーによりワイド風向が選択されると、制御部は、各ステッピングモータ７５を駆動して、図１０ａ、１０ｂに示すように、各空気吹出通路６４（６４Ａ〜６４Ｄ）内の第１気流ガイドベーン７ａ（ガイドフィン７１ａ〜７１ｃ）を短辺壁６４３側に向けて回動させ、これに対して第２気流ガイドベーン７ｂ（ガイドフィン７１ａ〜７１ｃ）を短辺壁６４４側に向けて回動させる。
【００５９】
これにより、各空気吹出通路６４を通る調和空気は、各空気吹出通路６４の中央部分つまり第１気流ガイドベーン７ａと第２気流ガイドベーン７ｂの存在しない箇所から長軸Ｘに対してほぼ直交するように吹き出される直進吹出気流と、回動している第１気流ガイドベーン７ａと第２気流ガイドベーン７ｂにより空気吹出通路６４の両短辺壁側に向かう側方吹出気流の３方向に振り分けられるため、図１０ａに示すように、各コーナー部３６ａ〜３６ｄからも必要十分な吹出風量が確保され、ほぼ全方向に調和空気を吹き出すことができる。このとき、風向板３３は、導風通路３４から吹き出された空気が傾斜部３３２の内周面に沿って先端部３３２ａに案内されるような角度に開かれる。
【００６０】
次に、ユーザーにより直進風向が選択されると、制御部は、各ステッピングモータ７５を駆動して、図１１ａ、１１ｂに示すように、各空気吹出通路６４（６４Ａ〜６４Ｄ）内の第１気流ガイドベーン７ａと第２気流ガイドベーン７ｂをともに、それらのガイドフィン７１ａ〜７１ｃを長軸Ｘに対してほぼ直交する垂直方向とする。
【００６１】
これにより、各空気吹出通路６４を通る調和空気の多くは、図１１ａに示すように、第１気流ガイドベーン７ａと第２気流ガイドベーン７ｂが存在する箇所も含めて長軸Ｘに対してほぼ直交するように吹き出される直進吹出気流となるため、暖房運転時には床面にまでしっかりと届く暖気流、冷房運転時には冷気落ちすることなく遠くにまで届く冷気流を得ることができる。この直進風向時において、風向板３３は、暖房運転時には下吹出となるように回動され、冷房運転時には横吹出となるように回動される。
【００６２】
この直進風向時、第１気流ガイドベーン７ａと第２気流ガイドベーン７ｂの風下側（図１１ｂにおいて下端側）を垂直方向よりも互いに近づく方向に回動させて直進吹出気流を絞るようにしてもよい。
【００６３】
次に、ユーザーによりスポット風向が選択された場合を説明する。本実施形態において、スポット風向には、一方の対角位置に存在する第１コーナー部３１ａと第３コーナー部３１ｃとから調和空気を吹き出させる第１スポット態様と、他方の対角位置に存在する第２コーナー部３１ｂと第４コーナー部３１ｄとから調和空気を吹き出させる第２スポット態様とがある。いずれのスポット態様においても、風向板３３は、導風通路３４から吹き出された空気が傾斜部３３２の内周面に沿って先端部３３２ａに案内されるような角度に開かれる。
【００６４】
ユーザーにより第１スポット態様のスポット風向が選択されると、制御部は、図１２ａ、１２ｂに示すように、第１空気吹出通路６４Ａについては、第１気流ガイドベーン７ａ、第２気流ガイドベーン７ｂの各ガイドフィン７１ａ〜７１ｃをともに第１コーナー部３６ａ寄りの短辺壁６４３側に向けて回動させるとともに、第４空気吹出通路６４Ｄについては、第１気流ガイドベーン７ａ、第２気流ガイドベーン７ｂの各ガイドフィン７１ａ〜７１ｃをともに第１コーナー部３６ａ寄りの短辺壁６４４側に向けて回動させる。
【００６５】
また、第２空気吹出通路６４Ｂについては、第１気流ガイドベーン７ａ、第２気流ガイドベーン７ｂの各ガイドフィン７１ａ〜７１ｃをともに第３コーナー部３６ｃ寄りの短辺壁６４４側に向けて回動させ、第３空気吹出通路６４Ｃについては、第１気流ガイドベーン７ａ、第２気流ガイドベーン７ｂの各ガイドフィン７１ａ〜７１ｃをともに第３コーナー部３６ｃ寄りの短辺壁６４３側に向けて回動させる。なお、図１２ｂにおいて、短辺壁６４３側に向けて回動しているガイドフィンは実線で示し、短辺壁６４４側に向けて回動しているガイドフィンは鎖線で示している。
【００６６】
これにより、図１２ａに示すように、第１空気吹出通路６４Ａを通る調和空気と第４空気吹出通路６４Ｄを通る調和空気の多くは第１コーナー部３６ａから吹き出され、これに対して、第２空気吹出通路６４Ｂを通る調和空気と第３空気吹出通路６４Ｃを通る調和空気の多くは  第３コーナー部３６ｃから吹き出される。
【００６７】
次に、ユーザーにより第２スポット態様のスポット風向が選択されると、制御部は、第１空気吹出通路６４Ａについては、第１気流ガイドベーン７ａ、第２気流ガイドベーン７ｂの各ガイドフィン７１ａ〜７１ｃをともに第２コーナー部３６ｂ寄りの短辺壁６４４側に向けて回動させるとともに、第２空気吹出通路６４Ｂについては、第１気流ガイドベーン７ａ、第２気流ガイドベーン７ｂの各ガイドフィン７１ａ〜７１ｃをともに第２コーナー部３６ｂ寄りの短辺壁６４３側に向けて回動させる。
【００６８】
また、第３空気吹出通路６４Ｃについては、第１気流ガイドベーン７ａ、第２気流ガイドベーン７ｂの各ガイドフィン７１ａ〜７１ｃをともに第４コーナー部３６ｄ寄りの短辺壁６４４側に向けて回動させ、第４空気吹出通路６４Ｄについては、第１気流ガイドベーン７ａ、第２気流ガイドベーン７ｂの各ガイドフィン７１ａ〜７１ｃをともに第４コーナー部３６ｄ寄りの短辺壁６４３側に向けて回動させる。
【００６９】
これにより、図１２ｃに示すように、第１空気吹出通路６４Ａを通る調和空気と第２空気吹出通路６４Ｂを通る調和空気の多くは第２コーナー部３６ｂから吹き出され、これに対して、第３空気吹出通路６４Ｃを通る調和空気と第４空気吹出通路６４Ｄを通る調和空気の多くは第４コーナー部３６ｄから吹き出されることになる。
【００７０】
以上説明したように、本発明によれば、各空気吹出通路６４内の一方の短辺壁６４３側と他方の短辺壁６４４側とに気流ガイドベーン７ａ、７ｂを設け、その各々を適宜回動させることにより、調和空気の吹出方向を、全方向のワイド風向、暖房時には床面にまでしっかりと届く暖気流、冷房時には遠くまで冷気落ちすることなく届く冷気流とする直進風向、特定の場所だけに気流を絞るスポット風向とすることができる。
【符号の説明】
【００７１】
１  天井埋込型空気調和機
２  ケーシング本体
２１  天板
２２ａ〜２２ｄ  側板
２３  断熱材
２４  ターボファン
２５  熱交換器
２５ａ、２５ｂ  冷媒配管
２７  ベルマウス
２８  電装品箱
３  化粧パネル
３１  空気吸込口
３２  空気吹出口
３３  風向板
３４  導風通路
３５  ステッピングモータ
３６（３６ａ〜３６ｄ）  コーナー部
４  吊下金具
５  吸込グリル
５１  吸込孔
５２  除塵フィルタ
６  ドレンパン
６１  ドレンパン本体
６２  ドレンシート
６３  空気吸込通路
６４  空気吹出通路
６４１、６４２  長辺壁
６４３、６４４  短辺壁
６５  支柱
７  気流ガイドベーン
７ａ  第１気流ガイドベーン
７ｂ  第２気流ガイドベーン
７１（７１ａ、７１ｂ、７１ｃ）  ガイドフィン
【図１】
2018017421.tif 000003
【図２】
2018017421.tif 000004
【図３】
2018017421.tif 000005
【図４】
2018017421.tif 000006
【図５】
2018017421.tif 000007
【図６】
2018017421.tif 000008
【図７】
2018017421.tif 000009
【図８】
2018017421.tif 000010
【図９】
2018017421.tif 000011
【図１０ａ】
2018017421.tif 000012
【図１０ｂ】
2018017421.tif 000013
【図１１ａ】
2018017421.tif 000014
【図１１ｂ】
2018017421.tif 000015
【図１２ａ】
2018017421.tif 000016
【図１２ｂ】
2018017421.tif 000017
【図１２ｃ】
2018017421.tif 000018